(57)【要約】【課題】ＩＣ乗車券カードをこのカードに対応するエリアと異なるエリアで用いた場合に所定の情報を提供することができる、情報提供装置および情報提供プログラムを提供することである。【解決手段】実施形態の情報提供装置は、カード事業者情報取得部と、装置事業者情報取得部と、利用駅情報取得部と、情報提示部とを備える。カード事業者情報取得部は、乗車券情報が記録された記録媒体に対するカード事業者を示すカード事業者情報を駅務装置から取り込む。装置事業者情報取得部は、駅務装置に対する装置事業者を示す装置事業者情報を駅務装置から取り込む。利用駅情報取得部は、カード事業者情報と装置事業者情報とが所定の対応関係を有する場合、記録媒体に対応付けられた乗車駅および降車駅を示す利用駅情報を駅務装置から取り込む。情報提示部は、利用駅情報と駅務装置の設置駅に対する駅関連情報とに基づいて所定の情報を提示する。【選択図】図１
2015049749.tif 000002
【特許請求の範囲】
【請求項１】
乗車券情報が記録された記録媒体の読取り部を備えた駅務装置に接続される情報提供装置であって、
前記記録媒体に対するカード事業者を示すカード事業者情報を前記駅務装置から取り込むカード事業者情報取得部と、
前記駅務装置に対する装置事業者を示す装置事業者情報を前記駅務装置から取り込む装置事業者情報取得部と、
前記カード事業者情報取得部が取り込んだ前記カード事業者情報と前記装置事業者情報取得部が取り込んだ前記装置事業者情報とが所定の対応関係を有する場合、前記記録媒体に対応付けられた乗車駅および降車駅を示す利用駅情報を前記駅務装置から取り込む利用駅情報取得部と、
前記利用駅情報取得部が取り込んだ前記利用駅情報と前記駅務装置の設置駅に対する駅関連情報とに基づいて所定の情報を提示する情報提示部と、
を備える情報提供装置。
【請求項２】
前記利用駅情報取得部は、前記カード事業者情報と前記装置事業者情報とが非同一である場合に前記利用駅情報を前記駅務装置から取り込む、
請求項１記載の情報提供装置。
【請求項３】
前記情報提示部は、前記利用駅情報が示す駅に、前記駅関連情報が示す路線に含まれる駅が含まれる割合が所定値以下である場合に前記所定の情報を提示する、
請求項１または請求項２いずれか記載の情報提供装置。
【請求項４】
前記情報提示部は、前記利用駅情報が示す駅に、前記駅関連情報が示す駅が含まれる割合が所定値以下である場合に前記所定の情報を提示する、
請求項１または請求項２いずれか記載の情報提供装置。
【請求項５】
前記記録媒体のカード識別情報を前記駅務装置から取り込むカード識別情報取得部と、
前記カード識別情報取得部が取り込んだ前記カード識別情報に対応付けられたアドレス情報を取り込むアドレス情報取得部と、
をさらに備え、
前記情報提示部は、
前記アドレス情報取得部が取り込んだ前記アドレス情報に応じて前記所定の情報を電子メールにより送信する、
請求項１から請求項４いずれか一項記載の情報提供装置。
【請求項６】
乗車券情報が記録された記録媒体の読取り部を備えた駅務装置に接続されるコンピュータを、
前記記録媒体に対するカード事業者を示すカード事業者情報を前記駅務装置から取り込むカード事業者情報取得部と、
前記駅務装置に対する装置事業者を示す装置事業者情報を前記駅務装置から取り込む装置事業者情報取得部と、
前記カード事業者情報取得部が取り込んだ前記カード事業者情報と前記装置事業者情報取得部が取り込んだ前記装置事業者情報とが所定の対応関係を有する場合、前記記録媒体に対応付けられた乗車駅および降車駅を示す利用駅情報を前記駅務装置から取り込む利用駅情報取得部と、
前記利用駅情報取得部が取り込んだ前記利用駅情報と前記駅務装置の設置駅に対する駅関連情報とに基づいて所定の情報を提示する情報提示部と、
として機能させるための情報提供プログラム。
【発明の詳細な説明】
【技術分野】
【０００１】
本発明の実施形態は、情報提供装置および情報提供プログラムに関する。
【背景技術】
【０００２】
ＩＣ乗車券カードの利用履歴情報に基づいてサービス情報を提供する情報提供装置が知られている（例えば、特許文献１参照）。
また、近時、全国の各エリアの鉄道等交通機関において、複数種類のＩＣ乗車券カードの相互利用が可能となった。
【先行技術文献】
【特許文献】
【０００３】
【特許文献１】特開２０１２−７３９７６号公報
【発明の概要】
【発明が解決しようとする課題】
【０００４】
上記の相互利用においては、あるエリアにおける交通機関に対応するＩＣ乗車券カードをそのエリアと異なる別エリアにおける交通機関で利用することができる。しかし、この場合において、そのＩＣ乗車券カードの携帯者が当該別エリアについて不案内であることがあり、そのような場合についての利便性の向上が課題である。
本発明が解決しようとする課題は、ＩＣ乗車券カードをこのＩＣ乗車券カードに対応するエリアと異なる別エリアで用いた場合に所定の情報を提供することができる、情報提供装置および情報提供プログラムを提供することである。
【課題を解決するための手段】
【０００５】
実施形態の情報提供装置は、乗車券情報が記録された記録媒体の読取り部を備えた駅務装置に接続される情報提供装置である。この情報提供装置は、カード事業者情報取得部と、装置事業者情報取得部と、利用駅情報取得部と、情報提示部とを備える。カード事業者情報取得部は、前記記録媒体に対するカード事業者を示すカード事業者情報を前記駅務装置から取り込む。装置事業者情報取得部は、前記駅務装置に対する装置事業者を示す装置事業者情報を前記駅務装置から取り込む。利用駅情報取得部は、前記カード事業者情報取得部が取り込んだ前記カード事業者情報と前記装置事業者情報取得部が取り込んだ前記装置事業者情報とが所定の対応関係を有する場合、前記記録媒体に対応付けられた乗車駅および降車駅を示す利用駅情報を前記駅務装置から取り込む。情報提示部は、前記利用駅情報取得部が取り込んだ前記利用駅情報と前記駅務装置の設置駅に対する駅関連情報とに基づいて所定の情報を提示する。
【図面の簡単な説明】
【０００６】
【図１】第１実施形態の情報提供装置を適用した情報提供システムの機能構成を示すブロック図である。
【図２】カード事業者情報および装置事業者情報のデータ構成の例を示す図である。
【図３】ＩＣ乗車券カードに対応付けられた利用駅情報のデータ構成の例を示す図である。
【図４】第１実施形態において、提供情報取得部が予め記憶する路線情報テーブルのデータ構成の例を示す図である。
【図５】第１実施形態の情報提供装置の処理手順を示すフローチャートである。
【発明を実施するための形態】
【０００７】
以下、実施形態について、図面を参照して詳細に説明する。
［第１の実施形態］
図１は、第１実施形態の情報提供装置を適用した情報提供システムの機能構成を示すブロック図である。同図に示すように、情報提供システムは、情報提供装置１と、改札装置２と、情報提供サーバ１００と、アドレスサーバ２００と、利用履歴情報サーバ３００とを含む。
【０００８】
改札装置２は、乗客が携帯するＩＣ乗車券媒体を用いて改札処理を行う自動改札機である。ＩＣ乗車券媒体は、乗車券情報が記録された記録媒体である。ＩＣ乗車券媒体は、例えば、ＩＣ乗車券カード、ＩＣ乗車券カードで用いられるＩＣチップを内蔵した携帯機器である。第１実施形態では、ＩＣ乗車券媒体がＩＣ乗車券カードである例を説明する。ＩＣ乗車券カードは、ＩＣチップとアンテナとを内蔵した無線カードである。改札装置２は、ＩＣ乗車券カードと非接触に、または接触してデータの読取りおよび書き込みを行うカードリーダ・ライタ（図示しない。）を備える。交流磁界を発生させたカードリーダ・ライタにＩＣ乗車券カードがかざされることにより、ＩＣ乗車券カードのアンテナには、交流磁界に応じて交流電圧が誘起される。ＩＣ乗車券カードは、その交流電圧から得た直流電圧をＩＣチップに供給する。カードリーダ・ライタは、ＩＣチップから乗車券情報、カード事業者情報、およびカード識別情報を読み出したり、改札処理の結果をＩＣチップに書き込んだりする。乗車券情報は、例えば、乗車可能区間を示す情報、有効期限を示す情報である。カード事業者情報は、ＩＣ乗車券カードに対するカード事業者を示す情報である。カード事業者情報を用いることにより、カード事業者が所掌するサービスの実施範囲（エリア）を特定することができる。カード識別情報は、ＩＣ乗車券カードを識別する情報である。改札装置２は、ＩＣ乗車券カードから読み込んだカード事業者情報を情報提供装置１に供給する。また、改札装置２は、ＩＣ乗車券カードから読み込んだカード識別情報を情報提供装置１に供給する。
【０００９】
改札装置２は、装置事業者情報を記憶した、図示しない記憶装置を備える。この記憶装置は、例えば半導体記憶装置により実現される。装置事業者情報は、改札装置２に対する装置事業者を示す情報である。装置事業者情報を用いることにより、装置事業者が所掌するサービスの実施範囲（エリア）を特定することができる。改札装置２は、記憶装置から読み出した装置事業者情報を情報提供装置１に供給する。
【００１０】
改札装置２は、情報提供装置１が供給する利用駅情報要求情報を取り込んだことに応じて、ＩＣ乗車券カードに対応付けられた乗車駅および降車駅を示す利用駅情報を利用履歴情報サーバ３００から取り込み、その利用駅情報を情報提供装置１に供給する。
なお、改札装置２は、情報提供装置１から利用駅情報要求情報を取り込んだことに応じて、ＩＣ乗車券カードのＩＣチップに記憶された利用駅情報をそのＩＣチップから読み込んでもよい。
【００１１】
図１に示すとおり、情報提供装置１は、カード事業者情報取得部１１と、装置事業者情報取得部１２と、利用駅情報取得部１３と、設置駅情報記憶部１４と、提供情報取得部１５と、カード識別情報取得部１６と、アドレス情報取得部１７と、情報提示部１８とを備える。
【００１２】
カード事業者情報取得部１１は、改札装置２が供給するカード事業者情報を取り込み、このカード事業者情報を利用駅情報取得部１３に供給する。
装置事業者情報取得部１２は、改札装置２が供給する装置事業者情報を取り込み、この装置事業者情報を利用駅情報取得部１３に供給する。
【００１３】
利用駅情報取得部１３は、カード事業者情報取得部１１が供給するカード事業者情報を取り込み、また、装置事業者情報取得部１２が供給する装置事業者情報を取り込む。利用駅情報取得部１３は、それぞれ取り込んだカード事業者情報と装置事業者情報とが所定の対応関係を有すると判定した場合、ＩＣ乗車券カードに対応付けられた利用駅情報の取得要求を示す利用駅情報要求情報を生成し、この利用駅情報要求情報を改札装置２に供給する。具体的に、例えば、利用駅情報取得部１３は、カード事業者情報と装置事業者情報とが非同一である（値が一致しない）と判定した場合に利用駅情報要求情報を生成し、この利用駅情報要求情報を改札装置２に供給する。利用駅情報取得部１３は、利用駅情報要求情報を取り込んだ改札装置２が供給する利用駅情報を取り込み、この利用駅情報を提供情報取得部１５に供給する。
【００１４】
設置駅情報記憶部１４は、改札装置２の設置駅に対する駅関連情報を記憶する。具体的に、設置駅情報記憶部１４は、例えば、改札装置２が設置された駅を含む路線を示す路線名を、駅関連情報として記憶する。
【００１５】
提供情報取得部１５は、利用駅情報取得部１３が供給する利用駅情報を取り込み、設置駅情報記憶部１４から駅関連情報を読み込む。そして、提供情報取得部１５は、利用駅情報が示す駅に、駅関連情報が示す路線の駅が含まれる割合を計算する。提供情報取得部１５は、算出した割合が所定値以下である場合に、情報提供サーバ１００から所定の情報（提供情報）を取り込み、この情報を情報提示部１８に供給する。所定の情報は、駅関連情報が示す路線に関連する情報であり、例えば、路線図情報、路線に含まれる駅および駅周辺の情報である。
【００１６】
具体的に、提供情報取得部１５は、路線ごとに路線名と当該路線に含まれる駅の駅名とを関係付けた路線情報テーブルを、予め記憶している。提供情報取得部１５は、利用駅情報が示す駅名に関係付けられた路線名に、駅関連情報である路線名が含まれる割合を計算する。そして、提供情報取得部１５は、その算出した割合が所定値以下である場合、駅関連情報をキーとして情報提供サーバ１００から駅関連情報に対応付けられた提供情報を取得し、この提供情報を情報提示部１８に供給する。
【００１７】
カード識別情報取得部１６は、改札装置２が供給するカード識別情報を取り込み、このカード識別情報をアドレス情報取得部１７に供給する。
アドレス情報取得部１７は、カード識別情報取得部１６が供給するカード識別情報を取り込むと、このカード識別情報をキーとしてアドレスサーバ２００からメールアドレスを取り込み、このメールアドレスを情報提供部１８に供給する。
情報提示部１８は、提供情報取得部１５が供給する提供情報を取り込み、また、アドレス情報取得部１７が供給するメールアドレスを取り込む。そして、情報提供部１８は、メールアドレスを宛先として、提供情報を電子メールにより送信する。
【００１８】
次に、第１実施形態における各種データのデータ構成について説明する。
図２は、カード事業者情報および装置事業者情報（これらを、事業者コードとも呼ぶ。）のデータ構成の例を示す図である。同図に示すように、事業者コードは、地域コードとユーザコードとを有する。地域コードは、地域を示すコードである。地域コードは、例えば、“関東”、“関西”等の地域を示すコードである。ユーザコードは、事業者を示すコードである。ユーザコードは、例えば、交通事業者を示すコードである。
【００１９】
前述したカード事業者情報と装置事業者情報との所定の対応関係について、利用駅情報取得部１３は、事業者コード全体の同一性を判定してもよいし、事業者コードにおける地域コードの同一性を判定してもよい。
【００２０】
図３は、ＩＣ乗車券カードに対応付けられた利用駅情報のデータ構成の例を示す図である。同図に示すように、利用駅情報は、「改札日」と、「乗車駅」と、「集札日」と、「降車駅」とを関係付けたデータテーブルである。「改札日」は、ＩＣ乗車券カードを用いて改札（入場）した日にちを示す情報である。「乗車駅」は、改札した駅（乗車駅）を示す情報である。「集札日」は、ＩＣ乗車券カードを用いて集札（退場）した日にちを示す情報である。「降車駅」は、集札した駅（降車駅）を示す情報である。
【００２１】
図３に示した利用駅情報には、ＩＣ乗車券カードの携帯者が改札日“2013.08.05”（２０１３年８月５日）に乗車駅“Ｍ”（Ｍ駅）で乗車し、集札日“2013.08.05”（２０１３年８月５日）に降車駅“Ｎ”（Ｎ駅）で降車したことを示す利用履歴情報が含まれる。また、この利用駅情報には、ＩＣ乗車券カードの携帯者が改札日“2013.08.05”（２０１３年８月５日）に乗車駅“Ｎ”（Ｎ駅）で乗車し、集札日“2013.08.05”（２０１３年８月５日）に降車駅“Ｌ”（Ｌ駅）で降車したことを示す利用履歴情報が含まれる。また、この利用駅情報には、ＩＣ乗車券カードの携帯者が改札日“2013.08.05”（２０１３年８月５日）に乗車駅“Ｌ”（Ｌ駅）で乗車し、集札日“2013.08.05”（２０１３年８月５日）に降車駅“Ｍ”（Ｍ駅）で降車したことを示す利用履歴情報が含まれる。また、この利用駅情報には、ＩＣ乗車券カードの携帯者が改札日“2013.08.12”（２０１３年８月１２日）に乗車駅“Ｃ”（Ｃ駅）で乗車したことを示す利用履歴情報が含まれる。
【００２２】
図４は、提供情報取得部１５が予め記憶する路線情報テーブルのデータ構成の例を示す図である。同図に示すように、路線情報テーブルは、「路線名」と当該路線に含まれる駅の「駅名」とを関係付けたデータテーブルである。「路線名」は、例えば、路線の名称である。「駅名」は、例えば、駅の名称である。同図に示した路線情報テーブルには、路線名“ＸＸＸ”と駅名“Ａ”、“Ｂ”、“Ｃ”、“Ｄ”、“Ｅ”、および“Ｆ”とが関係付けられ、また、路線名“ＹＹＹ”と駅名“Ｌ”、“Ｍ”、“Ｎ”、“Ｏ（オー）”、“Ｐ”、および“Ｑ”とが関係付けられて格納されている。
【００２３】
次に、第１実施形態の情報提供装置１の動作について説明する。
図５は、情報提供装置１の処理手順を示すフローチャートである。改札装置２がＩＣ乗車券カードを用いて改札処理を終了した後、情報提供装置１は、本フローチャートによる処理を実行する。
【００２４】
ステップＳ１において、カード事業者情報取得部１１は、改札装置２がＩＣ乗車券カードから読み込んで供給するカード事業者情報を取り込み、このカード事業者情報を利用駅情報取得部１３に供給する。次に、利用駅情報取得部１３は、カード事業者情報取得部１１が供給するカード事業者情報を取り込む。
次に、ステップＳ２において、装置事業者情報取得部１２は、改札装置２が記憶装置から読み出して供給する装置事業者情報を取り込み、この装置事業者情報を利用駅情報取得部１３に供給する。次に、利用駅情報取得部１３は、装置事業者情報取得部１２が供給する装置事業者情報を取り込む。
なお、ステップＳ１の処理とステップＳ２の処理との実行順序は逆でもよい。
【００２５】
次に、ステップＳ３において、利用駅情報取得部１３は、それぞれ取り込んだカード事業者情報と装置事業者情報とを比較し、カード事業者情報と装置事業者情報とが所定の対応関係を有する場合（ステップＳ３：ＹＥＳ）、ステップＳ４の処理に進める。一方、利用駅情報取得部１３は、カード事業者情報と装置事業者情報とが前記の所定の対応関係を有さない場合（ステップＳ３：ＮＯ）、本フローチャートの処理を終了させる。
【００２６】
ステップＳ４において、利用駅情報取得部１３は、ＩＣ乗車券カードに対応付けられた利用駅情報の取得要求を示す利用駅情報要求情報を生成し、この利用駅情報要求情報を改札装置２に供給する。次に、利用駅情報取得部１３は、利用駅情報要求情報を取り込んだ改札装置２が利用履歴情報サーバ３００から取得して供給する利用駅情報を取り込み、この利用駅情報を提供情報取得部１５に供給する。
【００２７】
次に、ステップＳ５において、提供情報取得部１５は、利用駅情報取得部１３が供給する利用駅情報を取り込み、設置駅情報記憶部１４から駅関連情報を読み込む。次に、提供情報取得部１５は、利用駅情報が示す駅に、駅関連情報が示す路線に含まれる駅が含まれる割合が所定値以下であるか否かを求める。
【００２８】
ここで、具体例を示して提供情報取得部１５の動作を説明する。この説明において、利用駅情報を図３の利用駅情報、路線情報テーブルを図４の路線情報テーブル、駅関連情報を路線名“ＸＸＸ”とする。提供情報取得部１５は、利用駅情報および路線情報テーブルに基づいて、利用駅情報が示す駅名に関係付けられた路線名を求めることにより、下記の（表１）利用駅履歴情報を得る。
【００２９】
【表１】
2015049749.tif 000003
【００３０】
次に、提供情報取得部１５は、表１の利用駅履歴情報に駅関連情報（“ＸＸＸ”）が含まれる割合を計算し、割合（表１によれば、約１４％）が所定値（例えば、２０％）以下であるか否かを求める。
【００３１】
次に、ステップＳ６において、利用駅情報が示す駅に、駅関連情報が示す路線に含まれる駅が含まれる割合が所定値を越える場合（ステップＳ６：ＮＯ）、提供情報取得部１５は、本フローチャートの処理を終了させる。一方、利用駅情報が示す駅に、駅関連情報が示す路線に含まれる駅が含まれる割合が所定値以下である場合（ステップＳ６：ＹＥＳ）、提供情報取得部１５は、ステップＳ７の処理に進める。上記の具体例によれば、提供情報取得部１５は、ステップＳ７の処理に進める。ここで、利用駅履歴情報に駅関連情報が含まれる割合が所定値を越える場合とは、当該ＩＣ乗車券カードを携帯する乗客が、比較的多く路線名“ＸＸＸ”の路線を利用していることを意味する。一方、利用駅履歴情報に駅関連情報が含まれる割合が所定値以下である場合とは、当該ＩＣ乗車券カードを携帯する乗客が、路線名“ＸＸＸ”の路線をあまり利用していないことを意味する。なお、所定値は、提供情報取得部１５に予め設定されるが、任意に変更可能である。
【００３２】
ステップＳ７において、提供情報取得部１５は、駅関連情報をキーとして情報提供サーバ１００から駅関連情報に対応付けられた提供情報を取得し、この提供情報を情報提示部１８に供給する。
【００３３】
次に、ステップＳ８において、カード識別情報取得部１６は、改札装置２がＩＣ乗車券カードから読み込んで供給するカード識別情報を取り込み、このカード識別情報をアドレス情報取得部１７に供給する。
次に、アドレス情報取得部１７は、カード識別情報取得部１６が供給するカード識別情報を取り込むと、このカード識別情報をキーとしてアドレスサーバ２００からメールアドレスを取り込み、このメールアドレスを情報提供部１８に供給する。
次に、情報提示部１８は、提供情報取得部１５が供給する提供情報を取り込み、アドレス情報取得部１７が供給するメールアドレスを取り込む。そして、情報提供部１８は、メールアドレスを宛先として、提供情報を電子メールにより送信する。
【００３４】
以上、詳述したように、第１実施形態の情報提供装置１は、ＩＣ乗車券カードの読取り部を備えた改札装置２に接続される装置である。そして、情報提供装置１は、ＩＣ乗車券カードに対するカード事業者を示すカード事業者情報を改札装置２から取り込むカード事業者情報取得部１１を備える。また、情報提供装置１は、改札装置２に対する装置事業者を示す装置事業者情報を改札装置２から取り込む装置事業者情報取得部１２を備える。また、カード事業者情報取得部１１が取り込んだカード事業者情報と装置事業者情報取得部１２が取り込んだ装置事業者情報とが所定の対応関係を有する場合、ＩＣ乗車券カードに対応付けられた乗車駅および降車駅を示す利用駅情報を改札装置２から取り込む利用駅情報取得部１３を備える。また、利用駅情報取得部１３が取り込んだ利用駅情報と改札装置２の設置駅に対する駅関連情報とに基づいて所定の情報を提示する情報提示部１８を備える。この構成により、情報提供装置１は、取得したカード事業者情報と装置事業者情報とが所定の対応関係を有する場合に、ＩＣ乗車券カードに対応付けられた利用駅履歴情報と設置駅に対する駅関連情報とに基づいて、所定の情報を提示する。
【００３５】
ここで、例えば、カード事業者情報と装置事業者情報とが非同一である場合に、利用駅情報取得部１３が改札装置２から利用駅情報を取り込むようにすることにより、あるエリアに対応するＩＣ乗車券カードをそのエリアと異なる別エリアで利用する場合に、所定の情報を提供することができる。
【００３６】
また、情報提示部１８が、利用駅情報が示す駅に、駅関連情報が示す路線に含まれる駅が含まれる割合が所定値以下である場合に所定の情報を提示するようにしたことにより、その別エリアに関する提供情報を提示することができる。
【００３７】
［第２の実施形態］
第２実施形態の情報提示装置は、設置駅情報記憶部１４および提供情報取得部１５の構成が第１実施形態と異なる。以下、第２実施形態について、第１実施形態と異なる点を説明する。
【００３８】
設置駅情報記憶部１４は、改札装置２の設置駅に対する駅関連情報を記憶する。具体的に、設置駅情報記憶部１４は、例えば、改札装置２が設置された駅の駅名を、駅関連情報として記憶する。
【００３９】
提供情報取得部１５は、利用駅情報取得部１３が供給する利用駅情報を取り込み、設置駅情報記憶部１４から駅関連情報を読み込む。そして、提供情報取得部１５は、利用駅情報が示す駅名に、駅関連情報である駅名が含まれる割合を計算する。提供情報取得部１５は、算出した割合が所定値以下である場合に、駅関連情報をキーとして情報提供サーバ１００から駅関連情報に対応付けられた提供情報を取得し、この提供情報を情報提示部１８に供給する。第２実施形態において、提供情報は、駅関連情報が示す駅に関連する情報であり、例えば、当該駅に関する駅構内図、駅案内情報、駅周辺の情報、および駅を含む路線の路線図情報である。
【００４０】
第２実施形態の情報提供装置１によれば、情報提示部１８が、利用駅情報が示す駅に、駅関連情報が示す駅が含まれる割合が所定値以下である場合に所定の情報を提示するようにしたことにより、その駅に関する提供情報を提示することができる。
【００４１】
［実施形態の変形例１］
第１実施形態および第２実施形態では、情報提示部１８が、所定の情報を電子メールによりＩＣ乗車券カードの携帯者が有する端末に送信することとした。これ以外に、情報提示部１８を表示装置により実現してもよい。この場合、情報提示部１８は、提供情報取得部１５が供給する所定の情報を取り込み、この所定の情報を表示する。情報提示部１８は、例えば、液晶ディスプレイ装置により実現される。情報提示部１８は、改札装置２が設けられた通路を歩行する乗客が視認可能な位置、例えば、ＩＣ乗車券カードをかざすことによって開けられるドア付近の筐体上部に設けられる。
【００４２】
［実施形態の変形例２］
また、情報提示部１８を印刷装置により実現してもよい。この場合、情報提示部１８は、提供情報取得部１５が供給する所定の情報を取り込み、この所定の情報を紙媒体に印刷する。情報提示部１８は、例えば、サーマルプリンタ装置により実現される。情報提示部１８は、改札装置２が設けられた通路を歩行する乗客が印刷された紙媒体を取りやすい位置、例えば、ＩＣ乗車券カードをかざすことによって開けられるドア付近の筐体上部に設けられる。
【００４３】
なお、上述した実施形態および変形例の情報提供装置１が接続される駅務装置は、改札装置２に限られず、ＩＣ乗車券カードを用いる駅務装置、例えば、発券装置であってもよい。
【００４４】
また、上述した実施形態の情報提供装置の一部の機能をコンピュータで実現するようにしてもよい。この場合、その制御機能を実現するための情報提供プログラムをコンピュータ読み取り可能な記録媒体に記録し、この記録媒体に記録された情報提供プログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記の情報提供プログラムは、前述した機能の一部を実現するためのものであってもよく、さらに、前述した機能をコンピュータシステムにすでに記録されているプログラムとの組み合わせにより実現するものであってもよい。
【００４５】
以上、詳述した少なくとも一つの実施形態の情報提供装置によれば、カード事業者情報と装置事業者情報とが所定の対応関係を有する場合に、利用駅情報と駅務装置の設置駅に対する駅関連情報とに基づいて所定の情報を提示するようにしたことにより、ＩＣ乗車券カードをこのＩＣ乗車券カードに対応するエリアと異なる別エリアで用いた場合に所定の情報を提供することができる。
【００４６】
以上、いくつかの実施形態を説明したが、これらの実施形態は、例として提示したものであり、発明の範囲を限定することを意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１…情報提供装置、２…改札装置、１１…カード事業者情報取得部、１２…装置事業者情報取得部、１３…利用駅情報取得部、１４…設置駅情報記憶部、１５…提供情報取得部、１６…カード識別情報取得部、１７…アドレス情報取得部、１８…情報提示部、１００…情報提供サーバ、２００…アドレスサーバ、３００…利用履歴情報サーバ
【図１】
2015049749.tif 000004
【図２】
2015049749.tif 000005
【図３】
2015049749.tif 000006
【図４】
2015049749.tif 000007
【図５】
2015049749.tif 000008